(57)【特許請求の範囲】
【請求項１】
隣接する２つの壁紙の側端縁間に設けられる壁紙用目地部材において、
第１壁紙の側端縁を突き合わせ可能な第１側面部と、第２壁紙の側端縁を突き合わせ可能な第２側面部と、第１側面部の前方及び第２側面部の前方に跨がって設けられた表面部と、前記表面部の反対側に位置し且つ施工時に壁面に接する裏面部とが連続的に繋がっている立設部と、
前記第１側面部の後方から外方へ延設され且つ壁面と第１壁紙の間に介在する貼付部と、を有し、
前記第１側面部と第２側面部が略線対称形状である、壁紙用目地部材。
【請求項２】
前記立設部及び貼付部が中実状とされている、請求項１に記載の壁紙用目地部材。
【請求項３】
前記立設部が、前記第１側面部を含む第１側面壁と、前記第２側面部を含む第２側面壁と、前記表面部を含む表面壁と、前記裏面部を含む裏面壁と、これら４つの壁によって囲繞され且つ長手方向に連続的に形成された中空部と、を有し、
前記中空部の断面が、略線対称形状である、請求項１に記載の壁紙用目地部材。
【請求項４】
前記立設部が、前記第１側面部を含む第１側面壁と、前記第２側面部を含む第２側面壁と、前記表面部を含む表面壁と、前記裏面部を含む裏面壁と、これら４つの壁によって囲繞され且つ長手方向に連続的に形成された中空部と、を有し、
前記中空部が、柱部によって２以上の中空区画に仕切られている、請求項１に記載の壁紙用目地部材。
【請求項５】
前記第１側面部及び第２側面部が、壁面に対して略直交するように形成されている請求項１〜４のいずれかに記載の壁紙用目地部材。
【請求項６】
前記第１側面部及び第２側面部が、内方に凹んだ凹み部を有する、請求項１〜５のいずれかに記載の壁紙用目地部材。
【請求項７】
前記第１側面部及び第２側面部が、その前方から後方に向かうに従って内方に傾斜した部分をそれぞれ有する、請求項１〜６のいずれか一項に記載の壁紙用目地部材。
【発明の詳細な説明】
【技術分野】
【０００１】
本発明は、隣接する壁紙の境界部に設けられる壁紙用目地部材に関する。
【背景技術】
【０００２】
従来、特許文献１には、クロスとクロスの突き合わせに配され、クロスと壁面の間に位置する一対の貼着部及び該貼着部から立設しクロスの端が接する立設部と、この立設部に形成された溝部と、によって構成されるベース板と、前記立設部の溝部に係止する挿入部及び前記立設部を覆う目地隠し部から構成される止め具と、を備えるクロス目地部材が開示されている。
かかるクロス目地部材の施工は、ベース板を壁面に取り付け、立設部に壁紙の端を当てながら一対の貼着部の表面に壁紙を貼付した後、立設部の溝部に止め具を取り付けることによって行われる。
【０００３】
しかしながら、上記従来のクロス目地部材を用いた場合には、予め壁面の割り付け（壁面に対する壁紙の貼付位置を予め決めておくこと）を行い、その割り付けに従って複数のベース板を所定間隔を開けて取り付けた後、順次、壁紙を貼付しなければならない。さらに、壁紙を貼付した後には、止め具の取り付け作業も行わなければならない。
また、上記クロス目地部材及び壁紙の施工後、例えば、１つのクロス目地部材が破損などしてそれを交換する場合には、左右の壁紙も引き剥がさなければならないという問題点もある。
なお、クロス目地部材を用いずに施工された既存の壁紙構造体について、その一部の壁紙を貼り替えた場合には、新規な壁紙と既存の壁紙との境界部において段差が生じるので、壁紙構造体の外観が損なわれる。
【０００４】
また、特許文献２には、硬質熱可塑性樹脂で形成され、立上片と、軟質熱可塑性樹脂製の表面層を有する化粧カバー片と、これらの片の間に設けられた挿入凹部と、を有する見切り材であって、化粧カバー片の下部を、挿入凹部内に挿入された床材の上端部を挟み込むことができるように、表面層から連続した軟質熱可塑性樹脂からなる弾性体とし、その弾性体の先端を先細状にした断面視フック状の見切り材が開示されている。この見切り材は、化粧カバー片（弾性体）の先端と立上片との間に間隙が形成されており、この間隙から挿入凹部内に床材の上端部を挿入して使用される。
しかしながら、かかる見切り材は、化粧カバー片の先端が立上片から離れているため、化粧カバー片をその上から押さえつけると、化粧カバー片が揺動し、化粧カバー片と立上片の連結部（前記隙間と反対側）に応力が集中する。従って、この見切り材を切断すべく化粧カバー片の上からカッターなどを押しつけると、化粧カバー片と立上片の連結部にヒビが入ったり、或いは、挿入凹部（湾曲した化粧カバー片）が潰れるおそれがある。
なお、特許文献２には、床材などの上端部に取り付けられる見切り材が開示されているが、隣接する壁紙の境界部に設けられる壁紙用目地部材については一切開示されていない。
【先行技術文献】
【特許文献】
【０００５】
【特許文献１】実用新案登録第３１２８３７７号公報
【特許文献２】特許第３９４７６４２号公報（特開２００１−１０７５４９号）
【発明の概要】
【発明が解決しようとする課題】
【０００６】
本発明の第１の目的は、予め割り付けを行わなくても、壁紙用目地部材の取り付け及び壁紙の貼付を順次行うことができ、さらに、既存の壁紙の一部を残しつつ必要な箇所のみを新規な壁紙に貼り替えても好ましい外観の壁紙構造体とすることができる上、切断時に潰れ難い壁紙用目地部材を提供することである。
また、本発明の第２の目的は、壁紙の側端縁を目立ち難く施工できる壁紙用目地部材を提供することである。
【課題を解決するための手段】
【０００７】
本発明の壁紙用目地部材は、隣接する２つの壁紙の側端縁間に設けられる壁紙用目地部材において、第１壁紙の側端縁を突き合わせ可能な第１側面部と、第２壁紙の側端縁を突き合わせ可能な第２側面部と、第１側面部の前方及び第２側面部の前方に跨がって設けられた表面部と、前記表面部の反対側に位置し且つ施工時に壁面に接する裏面部とが連続的に繋がっている立設部と、前記第１側面部の後方から外方へ延設され且つ壁面と第１壁紙の間に介在する貼付部と、を有し、前記第１側面部と第２側面部が略線対称形状である。
【０００８】
本発明の好ましい壁紙用目地部材は、前記立設部及び貼付部が中実状とされている。
本発明の好ましい壁紙用目地部材は、前記立設部が、前記第１側面部を含む第１側面壁と、前記第２側面部を含む第２側面壁と、前記表面部を含む表面壁と、前記裏面部を含む裏面壁と、これら４つの壁によって囲繞され且つ長手方向に連続的に形成された中空部と、を有し、前記中空部の断面が、略線対称形状である。
また、本発明の他の好ましい壁紙用目地部材は、前記中空部が、柱部によって２以上の中空区画に仕切られている。
【０００９】
本発明の好ましい壁紙用目地部材は、前記第１側面部及び第２側面部が、壁面に対して略直交するように形成されている。
本発明のさらに好ましい壁紙用目地部材は、前記第１側面部及び第２側面部が、内方に凹んだ凹み部を有する。
また、本発明のさらに好ましい壁紙用目地部材は、前記第１側面部及び第２側面部が、その前方から後方に向かうに従って内方に傾斜した部分をそれぞれ有する。
【発明の効果】
【００１０】
本発明の壁紙用目地部材は、予め壁面に割り付けを行わなくても、その取り付け及び壁紙の貼付を順次行うことができ、さらに、切断時に潰れ難いので、取り扱い性に優れている。
さらに、本発明の壁紙用目地部材を用いれば、既存の壁紙の一部を残しつつ新規な壁紙に貼り替えても、好ましい外観の壁紙構造体とすることができる
また、本発明の好ましい壁紙用目地部材を用いれば、壁紙の側端縁を目立ち難く施工することもできる。
【図面の簡単な説明】
【００１１】
【図１】本発明の第１実施形態に係る壁紙用目地部材の正面図。
【図２】図１のＩＩ−ＩＩ線（壁紙用目地部材を幅方向）で切断した拡大断面図。
【図３】壁紙用目地部材及び壁紙を壁面に施工した状態の一部省略正面図。
【図４】図３のＩＶ−ＩＶ線で切断した拡大断面図。
【図５】本発明の第２実施形態に係る壁紙用目地部材を幅方向で切断した拡大断面図。
【図６】第２実施形態の変形例に係る壁紙用目地部材を幅方向で切断した拡大断面図。
【図７】第２実施形態の更なる変形例に係る壁紙用目地部材を幅方向で切断した拡大断面図。
【図８】本発明の第３実施形態に係る壁紙用目地部材を幅方向で切断した拡大断面図。
【図９】第３実施形態の変形例に係る壁紙用目地部材を幅方向で切断した拡大断面図。
【図１０】本発明の第４実施形態に係る壁紙用目地部材を幅方向で切断した拡大断面図。
【図１１】本発明の第５実施形態に係る１つの壁紙用目地部材を幅方向で切断した拡大断面図。
【図１２】同第５実施形態の変形例に係る壁紙用目地部材を幅方向で切断した拡大断面図。
【図１３】同第５実施形態の更なる変形例に係る壁紙用目地部材を幅方向で切断した拡大断面図。
【発明を実施するための形態】
【００１２】
以下、本発明について図面を参照しつつ説明する。
なお、本明細書において、便宜上、方向を示す用語として、「後方」は、壁紙用目地部材を壁面に施工した際を基準にして、壁面に近づく側を、「前方」は、これと反対に壁面から離れる側を指す。また、「外方」は、立設部から離れる側を、「内方」は、立設部に近づく側を指す。
また、第１、第２という序数詞を用語に付加する場合があるが、この序数詞は、用語を区別するために用いられているものであって、順序や優劣などの特別な意味を有さない。
本明細書において、「ＰＰＰ〜ＱＱＱ」という記載は、ＰＰＰ以上ＱＱＱ以下を意味する。
【００１３】
［第１実施形態］
図１及び図２において、本発明の壁紙用目地部材１は、立設部２と、立設部２の一方側から延設された貼付部３と、を有する。本発明の壁紙用目地部材１は、立設部２の他方側には、前記のような貼付部を有さない。
前記壁紙用目地部材１は、施工時に、隣接する２つの壁紙の側端縁間に設けられる。
壁紙用目地部材１は、全体として直線状に延びる細長い部材である。壁紙用目地部材１の長手方向の長さは、特に限定されないが、例えば、５０ｃｍ〜３００ｃｍである。
【００１４】
前記立設部２は、第１壁紙の一方の側端縁を突き合わせ可能な第１側面部２１と、第２壁紙の一方の側端縁を突き合わせ可能な第２側面部２２と、第１側面部２１の前方及び第２側面部２２の前方に跨がって設けられた表面部２３と、表面部２３とは反対側に位置し且つ施工時に壁面に接する裏面部２４と、を有する。また、これら４面部は、第１側面部、表面部、第２側面部及び裏面部の順に連続的に繋がって断面視環状を成している。従って、立設部２の断面視外周形状は環状である。もっとも、第１側面部２１から貼付部３が延設されているため、前記連続的に繋がっているとは、貼付部３を省いて考えるものとする。
【００１５】
前記貼付部３は、前記第１側面部２１の後方から外方へ延設されている。前記貼付部３は、壁紙用目地部材１の施工時には、壁面と第１壁紙の間に介在される。
前記立設部２と貼付部３は、一体的に形成されている。もっとも、立設部２と貼付部３を別体で形成し、その貼付部３を立設部２に接着剤を用いて固着することによって壁紙用目地部材１が構成されていてもよい。
【００１６】
具体的には、立設部２の裏面部２４は、壁面に当接させるために、平坦面とされている。立設部２の表面部２３は、裏面部２４（壁面）と略平行な平坦状に形成されている。もっとも、立設部２の表面部２３は、平坦面に限られず、例えば、前方に膨らむ弧状面とされていてもよい。
【００１７】
第１側面部２１及び第２側面部２２は、表面部２３の幅方向中心を通り且つ裏面部２４に対して垂直な仮想線を基準にして、略線対称形となっている。前記略線対称形とは、第１側面部２１から貼付部３が延設されていることを除いて線対称形という意味である。つまり、壁紙用目地部材１をその長手方向から見たとき、貼付部３を除いた第１側面部２１の形状と、第２側面部２２の形状とは、線対称形状とされている。
本実施形態の第１側面部２１及び第２側面部２２は、それぞれ裏面部２４に対して略直交する平坦面とされている。換言すると、第１側面部２１及び第２側面部２２は、互いに平行な平坦面であり、施工時に壁面に対して略直交するようにそれぞれ形成されている。
【００１８】
貼付部３は、全体として薄板状に形成され、その基端が第１側面部２１に連設され且つその先端が自由端とされている。貼付部３の裏面３ａは、立設部２の裏面部２４に連続した平坦面とされている。
貼付部３の肉厚は、その基端から先端まで均一であってもよいが、貼付部３の表面３ｂに壁紙を貼付した際に、貼付部３の先端の厚みに対応する段差がその壁紙の表面に現れないようにするために、貼付部３の肉厚は、基端において最も厚く、先端に向かうに従って徐々に薄くなっていることが好ましい。特に、貼付部３の先端部は、尖状に形成されていることがより好ましい。
従って、貼付部３の表面３ｂは、貼付部３の基端から先端に向かうに従って徐々に後方に傾斜した傾斜面とされている。なお、貼付部３の表面３ｂは、貼付部３の基端から先端に向かう中途部にかけて平坦であり、前記中途部から先端に向かうに従って徐々に後方に傾斜した傾斜面とされていてもよい。
【００１９】
貼付部３の基端における肉厚Ｔ３は、例えば、０．２ｍｍ〜２．０ｍｍであり、好ましくは０．３ｍｍ〜１．５ｍｍであり、より好ましくは、０．４ｍｍ〜１．０ｍｍである。貼付部３の基端における肉厚Ｔ３が余りに薄いと、立設部２に対する貼付部３の連結強度が不足するおそれがあり、一方、貼付部３の基端における肉厚Ｔ３が余りに厚いと、貼付部３の表面３ｂに貼付した壁紙が膨れて見え、施工後の外観が悪くなるおそれがある。
貼付部３の先端における肉厚は、例えば、０を超え０．８ｍｍ以下であり、好ましくは０．１ｍｍ〜０．５ｍｍである。
【００２０】
貼付部３の幅Ｗ３は、特に限定されないが、例えば、５ｍｍ〜３０ｍｍであり、好ましくは５ｍｍ〜２５ｍｍであり、より好ましくは５ｍｍ〜２０ｍｍである。貼付部３の幅Ｗ３が余りに小さいと、壁紙用目地部材１の壁面に対する取付安定性が悪くなり、貼付部３の幅Ｗ３が余りに大きいと、貼付部３を形成するための材料が多くなる一方で、施工時に貼付部３が変形又は欠落するおそれがあり、取り扱い性が悪くなる。
立設部２の幅Ｗ２は、１ｍｍ〜２０ｍｍであり、好ましくは１ｍｍ〜１５ｍｍであり、より好ましくは１ｍｍ〜１０ｍｍである。立設部２の幅Ｗ２が余りに小さいと、施工時に立設部２が欠落するおそれがあり、取り扱い性が悪くなる。また、立設部２の幅Ｗ２が余りに大きいと、壁紙用目地部材１が目立ち過ぎて、施工後の外観が悪くなるだけでなく、ハサミやカッター等を用いて壁紙用目地部材１を切断することが困難になるおそれがある。
なお、第１側面部２１と第２側面部２２が裏面部２４に対して略直交する平坦面とされている本実施形態においては、立設部２の幅Ｗ２は、第１側面部２１と第２側面部２２との間隔に等しい。
【００２１】
壁紙用目地部材１の全幅（貼付部３の幅Ｗ３と立設部２の幅Ｗ２の合計）は、特に限定されないが、例えば、１０ｍｍ〜５０ｍｍであり、好ましくは１０ｍｍ〜４０ｍｍであり、より好ましくは１０ｍｍ〜２０ｍｍである。壁紙用目地部材１の全幅が余りに小さいと、壁紙用目地部材１の壁面に対する取付安定性が悪くなり、壁紙用目地部材１の全幅が余りに大きいと、壁紙用目地部材１の切断作業に手間がかかる。
【００２２】
立設部２の第１側面部２１の高さＨ２は、特に限定されないが、第１壁紙の側端縁が第１側面部２１の前方端を超えて表面部２３から覗き出ないようにするため、壁紙の厚み以上であることが好ましい。具体的には、前記立設部２の第１側面部２１の高さＨ２は、壁紙の厚みにも因るが、１ｍｍ〜１０ｍｍであり、好ましくは１ｍｍ〜５ｍｍである。
なお、前記立設部２の第１側面部２１の高さＨ２は、第１側面部２１の前方端から後方端（貼付部３）までの長さである。貼付部が設けられていない第２側面部２２の高さは、第１側面部２１の高さよりも長いので、第１側面部２１の高さＨ２が前記長さであれば、第２壁紙の側端縁が第２側面部２２の前方端から覗き出ることはない。
【００２３】
本発明の壁紙用目地部材１において、第１側面部２１、第２側面部２２、表面部２３、及び裏面部２４の４面部は、連続して環状を成している。かかる立設部２は、ハサミやカッターの刃で押圧した場合でも、撓みにくく、一部分に応力が集中し難い。このため、本発明の壁紙用目地部材１は、ハサミやカッター等を用いて良好に切断することができる。
【００２４】
また、本実施形態において、立設部２及び貼付部３からなる壁紙用目地部材１は、中実状に形成されている。なお、中実状とは、内部に大きな空洞を有さないことを意味する。
立設部２と貼付部３を中実状にすることで、壁紙用目地部材１の剛性を上げることができ、ハサミやカッター等を用いて切断した際に、立設部２及び貼付部３が潰れ難い。
【００２５】
壁紙用目地部材１の形成材料は、特に限定されないが、例えば、合成樹脂、金属、木などが挙げられる。安価に形成でき且つ切断も行い易いことから、壁紙用目地部材１は合成樹脂で形成されていることが好ましい。
前記合成樹脂としては、例えば、塩化ビニル、ポリエチレン、ポリプロピレン、ポリエチレンテレフタレート、ポリメチルメタクリレート、ポリカーボネート、ＡＢＳ樹脂などの熱可塑性樹脂を用いることができる。
壁紙用目地部材１は、例えば、合成樹脂の押出成形によって簡単に製造できる。
【００２６】
なお、壁紙用目地部材１の裏面部２４及び貼付部３の裏面３ａに、粘着剤が塗布されていてもよい。粘着剤を塗布した場合には、その粘着剤層には離型紙が仮貼付される（粘着剤層及び離型紙は図示せず）。このような離型紙を備える粘着剤層は、公知の粘着テープを用いることにより容易に形成できる。
【００２７】
上記壁紙用目地部材１を用いた壁紙構造体の施工方法は、１つの壁紙を壁面に貼付する工程、その施工済みの壁紙の側端縁に、壁紙用目地部材１の第２側面部２２を突き合わせながら壁紙用目地部材１を壁面に取り付ける工程、その施工済みの壁紙用目地部材１の第１側面部２１に、他の壁紙の側端縁を突き合わせながらその他の壁紙を貼付部の表面及び壁面に貼付する工程、を有する。
【００２８】
具体的には、図３及び図４に示すように、壁面１０に１つの壁紙９２を貼付する。壁紙用目地部材１の裏面部２４及び貼付部３の裏面３ａに接着剤を塗布し（接着剤は図示せず）、前記施工済みの壁紙９２（第２壁紙９２）の一方の側端縁９２ａに、壁紙用目地部材１の第２側面部２２を突き合わせて、壁紙用目地部材１の裏面部２４及び貼付部３の裏面３ａを壁面１０に取り付ける。なお、壁紙用目地部材１に粘着剤層が設けられている場合には、前記接着剤の塗布は省略される。
【００２９】
本発明の壁紙用目地部材１は、立設部２の他方側である第２側面部２２から貼付部３が延設されておらず且つその第２側面部２２が直線状であるので、施工済みの第２壁紙９２の側端縁９２ａに第２側面部２２を当てることによって壁紙用目地部材１を壁面１０に取り付けることができる。
壁紙用目地部材１の貼付部３の先端において、その先端と壁面１０との間に比較的大きな段差が生じている場合には、貼付部３の先端をヤスリがけすることにより段差を消失させる、又は、パテ剤などを塗布して前記段差を埋めて平準化することが好ましい。
【００３０】
この施工済みの壁紙用目地部材１の第１側面部２１に、第１壁紙９１の一方の側端縁９１ａを突き合わせながら貼付部３の表面３ｂ及び壁面１０に第１壁紙９１を貼付する。第１壁紙９１を貼り付けると、壁紙用目地部材１の貼付部３は、第１壁紙９１と壁面１０の間に介在するようになる。
第１側面部２１は壁面１０に対して略直交するような平坦面とされているので、第１壁紙９１の側端縁９１ａをその第１側面部２１に容易に突き合わせることができる。
【００３１】
なお、第１壁紙９１の側端縁９１ａが直線状でない場合には、その側端縁９１ａが立設部２の表面部２３に重なるくらいに第１壁紙９１を仮貼りし、ヘラ等を用いて第１側面部２１と貼付部３の表面３ｂが交差する入隅部にまで第１壁紙９１の側端部を押し込み、カッターを用いて第１側面部２１に沿って第１壁紙９１の側端部を直線状に切断し、その切断によって生じた第１壁紙９１の側端縁を第１側面部２１に突き合わせてもよい。
事後、その施工済みの第１壁紙９１の他方の側端縁に、次の壁紙用目地部材１を同様にして取り付けていくことにより、隣接する壁紙９１，９２の境界部に壁紙用目地部材１が配置された壁紙構造体を得ることができる。
【００３２】
このように本発明の壁紙用目地部材１を用いれば、予め壁面１０に割り付けを行わなくても、壁紙用目地部材１の取り付け及び壁紙９１，９２の貼付を順次行うことができる。
また、立設部２の第１側面部２１及び第２側面部２２は略線対称形とされているので、隣接する２つの壁紙９１，９２の境界部が目立ち難く、外観的に綺麗な壁紙構造体を得ることができる。
【００３３】
さらに、施工後、壁紙用目地部材１が破損する或いは壁紙９１が部分的に汚れるなどにより、１つの壁紙用目地部材１又は１つの壁紙９１を交換したい場合がある。従来のクロス用目地部材１を交換する場合には、それに突き合わされた２つの壁紙を少なくとも引き剥がさなければならないが、本発明の壁紙用目地部材１によれば、その貼付部３の表面３ｂに貼付されている第１壁紙９１を引き剥がすだけで、壁紙用目地部材１を取り外すことができる。
【００３４】
また、壁紙用目地部材１が用いられていない既存の壁紙構造体の壁紙を残しつつ、そのうちの一部の壁紙を貼り替えたい場合もある。この点、本発明の壁紙用目地部材１を用いれば、残した壁紙の側縁部に第２側面部２２を突き合わせ、新規な壁紙を貼り且つその新規な壁紙の側縁部を第１側面部２１に突き合わることにより、一部を貼り替えた壁紙構造体を施工できる。このように壁紙用目地部材１を取り付けることにより、新規な壁紙と既存の壁紙との境界部を綺麗に仕上げることができる。
なお、本発明の壁紙用目地部材１は、第１及び第２側面部２１，２２が左右対称であるため、反転させて使用することも可能である。つまり、新規な壁紙を貼り合わす両側には、既存の壁紙がそれぞれ残っている場合があるが、壁紙用目地部材１を反転させれば、その既存の壁紙の何れにも第２側面部２２を突き合わせることができる。
【００３５】
［第２実施形態］
以下、第２〜第６実施形態の説明において、共通する構成及び効果並びに使用方法については説明を省略し、用語及び符号をそのまま援用する。
第２実施形態の壁紙用目地部材１は、図５に示すように、立設部２と、立設部２の一方側から延設された貼付部３と、を有する。立設部２は、第１側面部２１を含む第１側面壁２１１と、第２側面部２２を含む第２側面壁２２１と、表面部２３を含む表面壁２３１と、裏面部２４を含む裏面壁２４１と、を有する。これら４つの壁は、その外周が環状となるように連続的に繋がり、断面視環状を成している。そして、立設部２は、これら４つの壁によって囲繞され、且つ、長手方向に連続的に形成された中空部２５をさらに有する。
中空部２５の断面は、表面部２３の幅方向中心を通り且つ裏面部２４に対して垂直な仮想線Ｘを基準にして、略線対称形状である。もっとも、中空部２５の断面視形状は、前記のような略線対称に限定されるわけではない。
【００３６】
本実施形態では、立設部２の内側に中空部２５が存在するため、壁紙用目地部材１の形成材料を節約でき、且つ、壁紙用目地部材１を軽量化できる。また、第１側面壁２１１、表面壁２３１、第２側面壁２２１及び裏面壁２４１が、環状を成しているので、立設部２の上から押圧した場合でも、立設部２が撓みにくく、一部分に応力が集中し難い。このため、本発明の壁紙用目地部材１は、ハサミやカッター等を用いて良好に切断することができる。
特に、中空部２５は、仮想線を基準に略線対称形状であるため、押圧時の応力が第１側面壁２１１及び第２側面壁２２１に略均等に加わるため、切断時に、立設部２が潰れ難くなる。
【００３７】
具体的には、図５に表されるように、中空部２５の断面は、仮想線Ｘを基準に略線対称な矩形状である。
例えば、第１側面壁２１１の幅Ｂ１と第２側面壁２２１の幅Ｂ２は、それぞれ０．５ｍｍ〜２ｍｍであり、表面壁２３１の肉厚Ａ１と裏面壁２４１の肉厚Ａ２は、それぞれ０．５ｍｍ〜２ｍｍであり、中空部２５の高さＡ３は、０．５ｍｍ〜４ｍｍであり、中空部２５の幅Ｂ３は、２ｍｍ〜４ｍｍである。各壁の寸法は、それぞれ同一であってもよいし、異なっていてもよい。
なお、本実施形態において、立設部２の幅Ｗ２は、Ｂ１、Ｂ２及びＢ３の合計に等しく、第１側面部２１（第１側面壁２１１）の高さＨ２と貼付部３の基端における肉厚Ｔ３の合計は、Ａ１、Ａ２及びＡ３の合計に等しい。
従って、立設部２の幅Ｗ２（Ｂ１＋Ｂ２＋Ｂ３）は、３ｍｍ〜８ｍｍであり、好ましくは３ｍｍ〜６ｍｍである。また、立設部２の高さ（Ａ１＋Ａ２＋Ａ３＝Ｈ２＋Ｔ３）は、１．５ｍｍ〜８ｍｍであり、好ましくは、１．５ｍｍ〜４ｍｍである。
また、本実施形態では、立設部２は、各壁の寸法が、さらに、下記一般式（１）を満たすことが好ましい。
一般式（１）：Ｂ３≦３×（Ｂ１＋Ｂ２）≦３×Ｂ３
【００３８】
ただし、第１側面壁２１１の幅、第２側面壁２２１の幅、表面壁２３１の肉厚、裏面壁２４１の肉厚、中空部２５の幅及び中空部２５の高さが、一定でない場合（例えば、後述する変形例のように、前記幅や厚みが変化する場合）、上記第１側面壁２１１の幅Ｂ１、第２側面壁２２１の幅Ｂ２、表面壁２３１の肉厚Ａ１及び裏面壁２４１の肉厚Ａ２は、最小値を意味し、中空部２５の幅Ｂ３及び中空部２５の高さＡ３は、最大値を意味する。
つまり、第１側面壁２１１の幅Ｂ１は、第１側面部から中空部２５に至るまでの最短距離を意味する。第２側面壁２２１の幅Ｂ２、表面壁２３１の厚みＡ１及び裏面壁２４１の厚みＡ２についても同様である。また、中空部２５の幅Ｂ３及び中空部２５の高さＡ３は、その断面において、前方から後方にかけて最も長い部分の長さを意味する。
【００３９】
各壁の寸法が上記の数値範囲、及び、一般式（１）を満たすことにより、立設部２の剛性が十分に担保され、押圧時の応力が略均等に分散される。従って、ハサミやカッター等の刃によって押圧されても立設部２が潰れ難く、壁紙用目地部材１を良好に切断することができる。
【００４０】
好ましくは、第１側面壁２１１の幅Ｂ１と第２側面壁２２１の幅Ｂ２は、同じ長さである。この場合、立設部２の全体が、仮想線Ｘを基準に略線対称形状となるため、立設部２の全体的な剛性をより略均等にできる。
【００４１】
［第２実施形態の変形例］
なお、図５では、中空部２５の断面は矩形状に表されているが、断面形状は矩形状に限定されず、図６（ａ）に表されるような円形状であってもよい。また、断面形状は、図６（ｂ）に表れるような楕円状、図６（ｃ）に表されるような六角形状、図１１（ｂ）に表されるような台形状、その他の多角形状などであってもよい（図示せず）。
中空部２５の断面形状がどのような形状であっても、仮想線Ｘを基準に略線対称であれば、押圧時の応力を第１側面壁２１１及び第２側面壁２２１に略均等に分散できる。
【００４２】
また、図７に表される変形例では、表面部２３が、その幅方向中心を通る仮想線Ｘにおいて最も前方に膨らむ弧状面となるように形成されている。また、中空部２５の断面は、略矩形状であるが、その上辺が前方に膨らむ弧状となるように形成されている。この上辺は、表面部２３の幅方向中心において最も前方に膨らむように形成されている。
【００４３】
［第３実施形態］
第３実施形態の壁紙用目地部材１の立設部２は、第２実施形態と同様に、第１側面壁２１１と、第２側面壁２２１と、表面壁２３１と、裏面壁２４１と、それらの４壁で囲繞され且つ長手方向に連続的に形成された中空部２５と、を有する。
本実施形態では、中空部２５が、柱部２６によって２以上の中空区画に仕切られている。前記柱部２６も、中空部２５と同様に、立設部２の長手方向に連続的に形成されている。
例えば、図８に示すように、中空部２５は、１本の柱部２６により、第１中空区画２５１と第２中空区画２５２とに仕切られている。
【００４４】
本実施形態の壁紙用目地部材１は、中空部２５に少なくとも１本の柱部２６が設けられているため、ハサミやカッター等の刃によって押圧された場合でも、中空部２５（中空区画）の形状が変形し難く（即ち、立設部２が撓み難く）、十分な剛性を担保できる。そのため、立設部２が潰れ難く、壁紙用目地部材１を良好に切断することができる。
【００４５】
例えば、第１側面壁２１１の幅Ｂ１と第２側面壁２２１の幅Ｂ２と前記柱部２６の幅Ｂ４は、それぞれ０．５ｍｍ〜２ｍｍである。また、表面壁２３の肉厚Ａ１と裏面壁２４の肉厚Ａ２は、それぞれ０．５ｍｍ〜２ｍｍであり、第１中空区画２５１及び第２中空区画２５２の高さＡ４は、それぞれ０．５ｍｍ〜４ｍｍである。さらに、立設部２の幅Ｗ２は、７ｍｍ〜１５ｍｍである。第１中空区画２５１及び第２中空区画２５２の幅Ｂ５は、特に限定されず、各幅が同一でもよいし、異なっていてもよい。
【００４６】
図８において、柱部２６が１本のみ設けられ、その結果、２つの中空区画（第１中空区画２５１と第２中空区画２５２）が形成されている。図８において、第１中空区画２５１の幅Ｂ５をＢ５１と表示し、第２中空区画２５２の幅Ｂ５をＢ５２と表示している。
また、図８において、立設部２の幅Ｗ２は、Ｂ１、Ｂ２、Ｂ４、第１中空区画２５１の幅Ｂ５１及び第２中空区画２５２の幅Ｂ５２の合計に等しい。
上述の通り、立設部２の幅Ｗ２は７ｍｍ〜１５ｍｍである。従って、第１中空区画２５１の幅Ｂ５１と第２中空区画２５２の幅Ｂ５２の合計（Ｂ５１＋Ｂ５２）は、１ｍｍ〜１３．５ｍｍである。Ｂ５１とＢ５２の各幅は特に限定されないが、好ましくは、それぞれ０を超え７ｍｍ以下である。
【００４７】
なお、図８において、柱部２６は１本だけしか設けられていないが、本実施形態において、柱部２６は少なくとも１本設けられていればよく、２本以上の柱部２６が設けられていても良い。２本以上の柱部２６を設けることで、中空部２５を３つ以上の中空区画に仕切ることができる。
例えば、図９に示す壁紙用目地部材１では、２本の柱部２６１，２６２が設けられ、中空部２５が、３つの中空区画２５１，２５２，２５３に仕切られている。
また、中空区画の断面形状は特に限定されず、図８や図９のような矩形状、その他の多角形状、円形状、又は楕円形状などであってもよい。また、各中空区画の断面形状は、それぞれ同一であってもよく、異なっていてもよい。
柱部を２本以上設けることにより、立設部２の内側において中空部２５の占める割合が大きい場合でも、立設部２が潰れることを効果的に抑止することができる。
【００４８】
なお、２本以上の柱部２６を設けた場合、立設部２の幅Ｗ２は、Ｂ１、Ｂ２、各柱部２６の幅（Ｂ４）の合計ｓＢ４、及び各中空区画の幅（Ｂ５）の合計ｓＢ５の総和（Ｂ１＋Ｂ２＋ｓＢ４＋ｓＢ５ ）で表される。この場合でも、立設部２の幅Ｗ２が、７ｍｍ〜１５ｍｍとなり、且つ、各壁の寸法が上記数値範囲を満足することが好ましい。
【００４９】
本実施形態において、立設部２は、好ましくは、さらに下記一般式（２）を満足するように中空部（中空区画）が形成される。
一般式（２）：Ｂ５≦２×（Ｂ１＋Ｂ２＋ｓＢ４）≦２×ｓＢ５
ただし、第１側面壁２１１などの各幅などが、一定でない場合、上記第２実施形態と同様に、壁及び柱部の幅及び厚みについては、最小値を意味し、中空部の幅及び高さは、最大値を意味する。
【００５０】
本実施形態において、中空区画の数や柱部の本数は特に限定されないが、好ましくは、１本の柱部２６によって２つの中空区画２５１，２５２が形成されている。また、より好ましくは、表面部２３の幅方向中心を通り且つ裏面部２４に対して垂直な仮想線Ｘを中心軸とする１本の柱部２６が形成され、且つ、２つの中空区画２５１，２５２の断面が前記仮想線を基準にして略線対称形状に形成されている。
柱部２６が１本の場合、幅Ｗ２に対する第１側面壁２１１の幅Ｂ１と第２側面壁２２１の幅Ｂ２と柱部２６の幅Ｂ４をそれぞれ比較的大きくすることにより、ハサミやカッター等の刃によって押圧された場合でも、中空部２５（中空区画）の形状が変形し難く、加工性に優れる。
また、中空区画の断面が略線対称形状であれば、押圧時の応力を、第１側面壁２１１及び第２側面壁２２１及び柱部２６に略均等に分散できる。もっとも、中空区画の断面視形状は、前記のような略線対称に限定されるわけではない。
【００５１】
［第４実施形態］
第４実施形態の壁紙用目地部材１は、図１０に示すように、立設部２の表面に化粧シート４が設けられ、さらに、立設部２のコーナー部２ａ，２ｂがアール化されている。これ以外は、第２実施形態の壁紙用目地部材１は、上記第１実施形態の壁紙用目地部材１と同様である。
【００５２】
図１０に示すように、立設部２の表面部２３と第１側面部２１の間のコーナー部２ａ、及び、立設部２の表面部２３と第２側面部２２の間のコーナー部２ｂは、何れも、外方に膨らんだ弧状面とされている。
さらに、立設部２の第１側面部２１、表面部２３及び第２側面部２２に跨がって、化粧シート４が固着されている。
化粧シート４は、所望の模様が印刷された薄いシートである。そのシートの厚みは、特に限定されないが、例えば、２０μｍ〜２００μｍである。化粧シート４は、接着剤又は粘着剤（図示せず）を用いて、第１側面部２１、表面部２３及び第２側面部２２の各表面に固着されている。
【００５３】
本実施形態の壁紙用目地部材１は、壁紙の境界部から覗き出る立設部２の表面に化粧シート４が設けられているので、壁紙構造体の外観も良好となる。
【００５４】
［第５実施形態］
第５実施形態の壁紙用目地部材１は、第１側面部及び第２側面部が、内方に凹んだ凹み部を有する。これ以外は、第３実施形態の壁紙用目地部材１は、上記第１実施形態の壁紙用目地部材１と同様であるので、これと同様の構成及び効果並びに使用方法については説明を省略し、用語及び符号をそのまま援用する。
【００５５】
本実施形態に含まれる１つの壁紙用目地部材１は、図１１に示すように、その第１側面部２１及び第２側面部２２が、その前方から後方に向かうに従って内方に傾斜した傾斜面とされている。この内方に傾斜した部分が内方に凹んだ凹み部５であり、この図示例の場合、第１側面部２１の全体及び第２側面部２２の全体がそれぞれ凹み部５とされている。
傾斜面によって形成される各凹み部５の傾斜角αは、４５度〜８５度が好ましく、５０度〜８０度がより好ましい。
なお、図１１（ａ）は、立設部２が中実状の壁紙用目地部材１の例であり、図１１（ｂ）は、立設部２が中空実状の壁紙用目地部材１の例である。
凹み部５を有する立設部２の幅は、一定ではないので（凹み部５の部分で小さくなるので）、その幅は、凹み部５以外の部分の長さを意味する。
【００５６】
本実施形態に含まれる他の壁紙用目地部材１は、図１２に示すように、その第１側面部２１及び第２側面部２２が、その前方から中途において裏面部２４に対して略直交した平坦面とされ、且つその中途から後方において内方に傾斜した傾斜面とされている。この内方に傾斜した部分が内方に凹んだ凹み部５であり、この図示例の場合、第１側面部２１の一部分（後方部分）及び第２側面部２２の一部分（後方部分）がそれぞれ凹み部５とされている。
図１２に示す壁紙用目地部材１において、傾斜面によって形成される各凹み部５の高さは、壁紙の側端縁が各凹み部５内に収まるようにするために、壁紙の厚み以上であることが好ましい。具体的には、前記各凹み部５の高さは、壁紙の厚みにも因るが、例えば、１ｍｍ〜５ｍｍである。
また、傾斜面によって形成される各凹み部５の傾斜角βは、２５度〜６５度が好ましく、３０度〜６０度がより好ましい。
【００５７】
本実施形態に含まれる更なる他の壁紙用目地部材１は、図１３に示すように、その第１側面部２１及び第２側面部２２が、その前方から中途において裏面部２４に対して略直交した平坦面とされ、且つその中途から後方において内方に略コの字状に陥没した段差面とされている。この内方に陥没した部分が内方に凹んだ凹み部５であり、この図示例の場合、第１側面部２１の一部分（後方部分）及び第２側面部２２の一部分（後方部分）が、凹み部５とされている。
図１３に示す壁紙用目地部材１において、各凹み部５の高さは、壁紙の側端縁が各凹み部５内に収まるようにするために、壁紙の厚み以上であることが好ましい。具体的には、前記各凹み部５の高さは、壁紙の厚みにも因るが、例えば、１ｍｍ〜５ｍｍである。
また、各凹み部の幅は、０．１ｍｍ〜２ｍｍであり、好ましくは、０．１ｍｍ〜１．５ｍｍであり、より好ましくは、０．１ｍｍ〜１．０ｍｍである。
【００５８】
本実施形態の３つの壁紙用目地部材１は、何れも、その第１側面部２１及び第２側面部２２が、表面部２３の幅方向中心を通り且つ裏面部２４に対して垂直な仮想線を基準にして、略線対称形状となっている。
【００５９】
本実施形態では上記３つの壁紙用目地部材１を例示したが、これらの壁紙用目地部材１を用いた壁紙構造体の施工方法は、上記第１実施形態と同様に、１つの壁紙９２を壁面に貼付する工程、その施工済みの壁紙９２の側端縁に、壁紙用目地部材１の第２側面部２２を突き合わせながら壁紙用目地部材１を壁面に取り付ける工程、その施工済みの壁紙用目地部材１の第１側面部２１に、他の壁紙９２の側端縁を突き合わせながらその他の壁紙９２を貼付部３の表面３ａ及び壁面に貼付する工程、を有する。
【００６０】
具体的には、その壁紙用目地部材１の第２側面部２２の凹み部５内に第２壁紙９２の側端縁が隠れるように、壁面に既に貼付した第２壁紙９２の側端縁に壁紙用目地部材１の第２側面部２２を突き合わせ、壁紙用目地部材１の裏面部２４及び貼付部３の裏面３ａを壁面に取り付ける。なお、第２壁紙９２は先に壁面に貼付されているので、第２壁紙９２の側端縁を凹み部５内に簡単に入れ込んで隠すことができる。
必要に応じて、貼付部３の先端をヤスリがけして段差を消失させるか、或いは、パテ剤などを用いて、壁紙用目地部材１の貼付部３の先端と壁面との間の段差を埋めて平準化する。
【００６１】
この施工済みの壁紙用目地部材１の第１側面部２１の凹み部５に、第１壁紙９１の一方の側端縁を突き合わせながら貼付部３の表面３ｂ及び壁面に第１壁紙９１を貼付する。
接着剤を塗布した第１壁紙９１の側端縁を第１側面部２１の凹み部５内に入れ込むことが困難な場合には、第１壁紙９１の側端縁が立設部２の表面部２３に重なるくらいに第１壁紙９１を仮貼りし、ヘラ等を用いて第１壁紙９１の側端部を凹み部５に押し込み、カッターの刃先を第１側面部２１の凹み部５に入れ込みながら第１壁紙９１の側端部を直線状に切断することにより、その切断によって生じた第１壁紙９１の側端縁を第１側面部２１の凹み部５に入れ込むことができる。
【００６２】
特に、図１１及び図１２に示すように、第１側面部２１が傾斜面を有する場合には、その傾斜面に沿ってカッターの刃先を入れ易くなる。このため、第１壁紙９１の側端部の切断と同時に第１壁紙９１の側端縁を凹み部５に入れ込むことができるので好ましい。かかる傾斜面を有する壁紙用目地部材１は、第１側面部２１の傾斜面に沿ってカッターの刃先を入れ易く、カッターにて壁紙を切断する際に、第１側面部２１の前方が傷付くことを防止できる上、作業性も良いので施工時間の短縮化を図ることができる。
【００６３】
事後、その施工済みの第１壁紙９１の他方の側端縁に、次の壁紙用目地部材１を同様にして取り付けていくことにより、隣接する壁紙９１，９２の境界部に壁紙用目地部材１が配置された壁紙構造体を得ることができる。
なお、図１１乃至図１３において、施工時に突き合わされる第１壁紙９１及び第２壁紙９２を二点鎖線で表わしている。
【００６４】
本実施形態の壁紙用目地部材１についても、予め壁面１０に割り付けを行わなくても、壁紙用目地部材１の取り付け及び壁紙９１，９２の貼付を順次行うことができ、また、施工後、貼付部３の表面３ｂに貼付されている第１壁紙９１を引き剥がすだけで、壁紙用目地部材１を取り外すことができる。
さらに、本実施形態の壁紙用目地部材１を用いれば、第１壁紙９１の側端縁及び第２壁紙９２の側端縁が凹み部５によって隠されるので、好ましい外観を有する壁紙構造体を得ることができる。さらに、第１壁紙９１の側端縁及び第２壁紙９２の側端縁が凹み部５に嵌まるので、その側端縁から壁紙が捲れることを防止できる。
【００６５】
特に、図１２又は図１３に示す壁紙用目地部材１の場合、壁紙の側端縁が凹み部５に嵌まり込んで確実に見えにくくなるため、第１壁紙９１及び第２壁紙９２の側端縁が厳密な直線状に切断されていなくても、施工後の外観が悪くなることはない。かかる壁紙用目地部材１を用いれば、壁紙の側端縁を厳密な直線状に切断しなくても良いため、壁紙の施工も容易となる。
【００６６】
［第６実施形態］
本発明の壁紙用目地部材１は、上記第１乃至第５実施形態に示すような構成に限られず、これらの実施形態を適宜組み合わせてもよいし、或いは、これらの実施形態を適宜設計変更してもよい。
例えば、上記第５実施形態の各壁紙用目地部材１に、第４実施形態で示した、立設部２のコーナー部をアール化することや、少なくとも表面部に化粧シートを設けることなどを適用してもよく、上記第４及び５実施形態の各壁紙用目地部材１に、第２及び第３実施形態で示した、中空部を設けてもよい。
【符号の説明】
【００６７】
１…壁紙用目地部材１、２…立設部２、２１…第１側面部、２１１…第１側面壁、２２…第２側面部、２２１…第２側面壁、２３…表面部、２３１…表面壁、２４…裏面部、２４１…裏面壁、２５…中空部、２６…柱部、３…貼付部、４…化粧シート、５…凹み部、９１…第１壁紙、９２…第２壁紙、１０…壁面
【図１】
0005970677.tif 000002
【図２】
0005970677.tif 000003
【図３】
0005970677.tif 000004
【図４】
0005970677.tif 000005
【図５】
0005970677.tif 000006
【図６】
0005970677.tif 000007
【図７】
0005970677.tif 000008
【図８】
0005970677.tif 000009
【図９】
0005970677.tif 000010
【図１０】
0005970677.tif 000011
【図１１】
0005970677.tif 000012
【図１２】
0005970677.tif 000013
【図１３】
0005970677.tif 000014